(57)【特許請求の範囲】
【請求項１】
シート状材料に、折曲線を介して、上面内パネル、上面内側パネル、底面パネル、上面外側パネル、上面外パネルを一列に設け、前記上面内パネルの前記一列と直交する方向の両端部に上面側パネル、前記上面内側パネルの両端部に上面内側パネルフラップ、前記底面パネルの両端部に底面側パネル、前記上面外側パネルの両端部に上面外側パネルフラップを設け、少なくとも前記上面側パネルの各々と前記底面側パネルの各々を貼付けた包装箱であって、
前記上面内側パネルフラップの前記一列の方向の幅は、前記上面内側パネルの前記一列の方向の幅に等しく、
前記上面外側パネルフラップの前記一列の方向の幅が、前記上面外側パネルの前記一列の方向の幅より小さいことを特徴とする包装箱。
【請求項２】
前記上面外側パネルフラップの前記一列の方向の幅が、前記上面外パネル側において、シート状材料の厚さをｔとするとき、前記上面外パネルと前記上面外側パネルの間の折曲線の延長より、０．５ｔないし１．５ｔ引き込むことによって小さくなっていることを特徴とする請求項１に記載の包装箱。
【請求項３】
前記上面外側パネルフラップの前記一列の方向の幅が、シート状材料の厚さをｔとするとき、前記上面外側パネルの前記一列の方向の幅より、０．５ｔないし１．５ｔ小さくなっていることを特徴とする請求項１に記載の包装箱。
【発明の詳細な説明】
【技術分野】
【０００１】
本発明は、包装箱、さらに詳しくは、シート状材料を折り畳んで直方体にした包装箱に関する。
【背景技術】
【０００２】
従来の包装箱の他の例として、折曲線を介して後面パネル、側面パネル、前面パネル、側面パネル、貼着片が連接され、後面パネルの天部に折曲線を介して天部パネル、さらに前記天部パネルに折曲線を介して開閉パネルを連接し、前記前面パネルの天部に折曲線を介して天部パネル、差し込み片を順次連接し、前記貼着片の表面と後面パネルの裏面とを貼着して筒状体となすカートンであって、前記前面パネルに破断線および前記前面パネルの端縁の一部によって囲繞された開口領域を設け、前記開閉パネルを前面パネルの上面に重合し、前記開口領域と前記開閉パネルの裏面とを貼着した薄型易開封カートンが提案されている（例えば、特許文献１参照）。
【０００３】
特許文献１によって提案された薄型易開封カートンにおいては、上面の一定領域を二重にして、単なる平面印刷よりも立体感や重ね合わせの美しさ、注意喚起力、おもしろさ等を得ることができる。また、２重部分の下側シート材料に、開封して初めて認識される縁端部を所望の形状にし、開封後の包装箱の利用範囲を拡大したり、上面残留部による包装箱としての強度の確保をすることも可能である。しかし、特許文献２によって提案された薄型易開封カートンを、多数、例えば１２個を積み重ねると、上面の一重部分と２重部分では、垂直方向の高さすなわち薄型易開封カートンの厚さがシート材料の厚さだけ異なり、上方に行くに従い薄型易開封カートンが徐々に傾き、その積み重ねられた全体を一体包装することが困難になるという問題がある。
【０００４】
従来の包装箱のさらに他の例として、背板、下板、上板、前板を連設して形成された角筒状胴部と、それぞれ該背板、下板、上板、前板の側方に連設したそれぞれサイドフラップにより形成された前記角筒状胴部を封鎖する側部と、前記上板に連設されて前板４面に重ね合わせられ且つ該前板に開口パターン状の切離部により形成された開口パターン領域６面に貼着された上蓋板とにより形成され、前記前板のサイドフラップが背板のサイドフラップ面と該フラップに形成された切欠部より露呈するサイドフラップ面とに重ね合わせ貼着されているカートンが提案されている（例えば、特許文献２参照）。
【０００５】
特許文献２によって提案されたカートンにおいては、上面の一定領域を２重にして、単なる平面印刷よりも立体感や重ね合わせの美しさ、注意喚起力、おもしろさ等を得ることができる。また、２重部分の下側シート材料に、開口パターン領域が半切り形成され、開封して初めて認識される縁端部を所望の形状にし、開封後の包装箱の利用範囲を拡大したり、上面残留部による包装箱としての強度の確保をすることも可能である。しかし、特許文献３によって提案されたカートンを、多数、例えば１０個以上を積み重ねると、上面の一重部分と２重部分では、垂直方向の高さすなわちカートンの厚さがシート材料の厚さだけ異なり、上方に行くに従い薄型易開封カートンが徐々に傾き、その積み重ねられた全体を一体包装することが困難になるという問題がある。
【先行技術文献】
【特許文献】
【０００６】
【特許文献１】特開平１０−０３５６５４号公報
【特許文献２】特開２０００−１４２６７７号公報
【発明の概要】
【発明が解決しようとする課題】
【０００７】
本発明は、包装箱の前記利点を確保した上で、多数、例えば１０個以上を積み重ねても、上方に行くに従い包装箱が傾くことがなく、その全体を安定してかつ整然と美しく包装することができる包装箱を提供することを目的とする。
【課題を解決するための手段】
【０００８】
本発明は、シート状材料に、折曲線を介して、上面内パネル、上面内側パネル、底面パネル、上面外側パネル、上面外パネルを一列に設け、前記上面内パネルの前記一列と直交する方向の両端部に上面側パネル、前記上面内側パネルの両端部に上面内側パネルフラップ、前記底面パネルの両端部に底面側パネル、前記上面外側パネルの両端部に上面外側パネルフラップを設け、少なくとも前記上面側パネルの各々と前記底面側パネルの各々を貼付けた包装箱であって、
前記上面外側パネルフラップの前記一列の方向の幅が、前記上面外側パネルの前記一列の方向の幅より小さいことを特徴とする包装箱。
【０００９】
本発明の包装箱によれば、包装箱の前記利点を確保した上で、多数、例えば１０個以上を積み重ねても、上方に行くに従い包装箱が傾くことがなく、その全体を安定してかつ整然と美しく包装することができる効果を得ることができる。
【００１０】
（発明の実施態様）
本発明の一実施態様は、前記上面外側パネルフラップの前記一列の方向の幅が、前記上面外パネル側において、シート状材料の厚さをｔとするとき、前記上面外パネルと前記上面外側パネルの間の折曲線の延長より、０．５ｔないし１．５ｔ引き込むことによって小さくなっていることを特徴とする。
【００１１】
本実施態様によれば、従来と同じ包装箱製造装置を使用し、特別な作業を必要なく、本発明の効果を得ることができる。
【００１２】
本発明の他の実施態様は、前記上面外側パネルフラップの前記一列の方向の幅が、シート状材料の厚さをｔとするとき、前記上面外側パネルの前記一列の方向の幅より、０．５ｔないし１．５ｔ小さくなっていることを特徴とする。
【００１３】
本実施態様によれば、従来と同じ包装箱製造装置を使用し、特別な作業を必要なく、本発明の効果を得ることができる。
【図面の簡単な説明】
【００１４】
【図１】本発明の包装箱を作成するシート状材料の平面図である。
【図２】本発明の包装箱の斜視図である。
【図３】本発明の包装箱の開封状態の斜視図である。
【図４】本発明の包装箱の再封止状態の斜視図である。
【発明を実施するための形態】
【００１５】
以下に本発明の包装箱の実施形態を、図を参照しながら説明する。包装箱１を形成するシート状材料１０は、図１に示すように、折曲線ｂを介して、上面内パネル１２、上面内側パネル１４、底面パネル１６、上面外側パネル１８、上面外パネル２０を一列に設けている。折曲線ｂは、切り線に、部分的に連結したリード罫、ミシン目、罫線、ハーフカット線等を設けることによって、所望の切り線位置の剛性を下げて容易に所望の折り曲げることができるようにする。シート状材料１０の厚さを、ｔとする。
【００１６】
シート状材料１０は、さらに、上面内パネル１２の前記一列の列線の方向（以下、一列線方向という）と直交する方向の両端部に上面側パネル３０、上面内側パネル１４の両端部に上面内側パネルフラップ３２、底面パネル１６の両端部に底面側パネル３４、上面外側パネル１８の両端部に上面外側パネルフラップ３６を設けている。
【００１７】
上面内パネル１２は、底面パネル１６と実質上同一の形状・寸法であるが、包装箱１を開封したときに開口５０を形成する開口半切断線５２が設けられている。開口半切断線５２は、切断線に沿って切り込みと連結部が交互に設けられている。上面内パネル１２にはまた、後述する仮封止突起７２を挿入するための仮封止切り込み５４が設けられている。
【００１８】
上面内側パネル１４と上面外側パネル１８は実質上同一の形状・寸法であるが、上面外側パネル１８には、開封中の包装箱の剛性を高めるように構成されている。すなわち、開封後、上面外側パネル１８における上面外側パネルフラップ３６側の折曲線ｂの近傍領域が、上面側パネル３０、底面側パネル３４、上面外側パネルフラップ３６と実質上一体であるようにする。そのため、上面外側パネル１８には、２本の半切断曲線１９が、上面外側パネル１８と上面外パネル２０の間の折曲線ｂから、底面パネル１６と上面外側パネル１８の間の折曲線ｂまで延びている。
【００１９】
上面外パネル２０には、折曲線ｂと反対側の縁端に仮封止突起７２が設けられている。上面外パネル２０には、折曲線ｂと反対側の縁端に、開封時のつまみとして利用できる装飾突起７０を設けることもできる。
【００２０】
上面内側パネルフラップ３２の一列線方向の幅は、上面内側パネル１４の一列線方向の幅に等しい。
上面外側パネルフラップ３６の一列線方向の幅は、上面外側パネル１８の一列線方向の幅より小さい。一実施例として、シート状材料１０の厚さをｔとするときに上面外パネル２０側の上面外側パネルフラップ３６の縁端は、上面外側パネル１８と上面外パネル２０の間の折曲線ｂの延長線よりも、０．５ｔないし１．５ｔだけ、好ましくはｔだけ引き込んでいる。かかる引き込み幅ｈを設けることによって、前記シート状材料１０を組み立て内容物を収納した包装箱１を積み重ねた際に前記幅の分だけ押し潰されるため、積み重ねても包装箱が傾くことがなく、その全体を安定してかつ整然と美しく包装することができる。
【００２１】
包装箱１の組立は、図２に示すように、折曲線ｂに沿って折曲線ｂの両側の面が直交するように折り曲げる。上面内パネル１２の上に、さらに正確には上面内パネル１２の開口半切断線５２によって囲まれた部分に、上面外パネル２０が貼り付けられる。底面側パネル３４の上に、上面側パネル３０が貼り付けられる。底面側パネル３４の内側に、上面外側パネルフラップ３６が貼り付けられる。
【００２２】
包装箱１の開封は、図３に示すように、上面内パネル１２に貼付されている上面外パネル２０を上面内パネル１２から引き上げる。それによって、上面内パネル１２の開口半切断線５２が切断され、さらに続いて、上面外側パネル１８の２本の半切断曲線１９が切断される。上面内パネル１２の開口半切断線５２によって切り取られた部分は、上面外パネル２０の裏側（内側）に貼付されたままである。上面内パネル１２には、内容物取り出し開口５０が形成される。
【００２３】
包装箱１の再封止は、内容物の使用残りを収容するため等になされる。包装箱１の再封止は、図４に示すように、図２に示す組立状態と同じ状態にして、仮封止突起７２を仮封止切り込み５４へ挿入する。
【符号の説明】
【００２４】
ｂ          折曲線
ｈ          引き込み幅
１          包装箱
１０        シート状材料
１２        上面内パネル
１４        上面内側パネル
１６        底面パネル
１８        上面外側パネル
２０        上面外パネル
３０        上面側パネル
３２        上面内側パネルフラップ
３４        底面側パネル
３６        上面外側パネルフラップ
５０        開口
５２        開口半切断線
５４        仮封止切り込み
７０        装飾突起
７２        仮封止突起
【図１】
0005843149.tif 000002
【図２】
0005843149.tif 000003
【図３】
0005843149.tif 000004
【図４】
0005843149.tif 000005